(57)【特許請求の範囲】
【請求項１】
環状に形成されたステータと、
前記ステータ内に挿入され、回転シャフトに固定され、回転可能に支持されたロータと、
前記ロータに形成され、磁石を受け入れ可能な複数の磁石受入部と、
前記ロータに設けられ、前記磁石受入部内に装着された磁石と、
前記ロータのうち、前記磁石受入部から離れた位置に設けられ、軸方向に延び、周方向に間隔を隔てて形成された複数の穴部と、
前記ロータの軸方向端面に設けられたエンドプレートと、
前記ロータの軸方向端面と前記エンドプレートとの少なくとも一方によって規定され、前記穴部の開口部上から、前記磁石の軸方向端面上を経由する経路と、
前記ロータの軸方向端面と前記エンドプレートとの少なくも一方によって規定され、前記経路に連通する排出口と、
を備え、
前記磁石受入部は、第１収容孔と、前記第１収容孔に対して回転方向前方側に位置する第２収容孔とを含み、
前記１収容孔と前記第２収容孔と間に薄肉部が形成され、
前記磁石収容部間に前記薄肉部よりも剛性の高い厚肉部が形成され、
前記穴部間に該穴部同士を区画する区画壁部が形成され、
前記穴部は前記厚肉部に対して径方向内方側に位置し、
前記区画壁部は前記薄肉部に対して径方向内方に位置し、
前記エンドプレートは、前記穴部の開口部の一部を閉塞すると共に、前記開口部の一部を前記冷媒が流通可能な流通口として規定する経路規定部を含み、
前記経路規定部は、前記ロータの軸方向端面のうち、前記回転シャフトの周囲に位置する部分を覆うように環状に形成された環状部と、前記環状部の周縁部から、前記ロータの径方向に向けて突出し、周方向に間隔を隔てて複数形成された突出部とを含み、
前記突出部の先端部は、前記ロータの軸方向端面のうち、前記磁石受入部より径方向内方に位置し、
前記経路は、周方向に隣り合う前記突出部によって規定され、前記流通口と連通する連通路と、前記突出部より径方向外方側に位置すると共に、前記磁石の軸方向端面を通り、前記連通路および前記排出口と連通する排出路とを含む、回転電機。
【請求項２】
前記穴部は、前記磁石に対して、前記ロータの回転中心側に位置する、請求項１に記載の回転電機。
【請求項３】
前記排出口は、前記ロータの外周縁部に位置する、請求項１または請求項２に記載の回転電機。
【請求項４】
前記エンドプレートは、前記穴部から前記経路内に供給される冷媒を前記磁石の端面に案内可能な案内部を含む、請求項１から請求項３に記載の回転電機。
【請求項５】
前記流通口は、前記磁石に対して、前記ロータの周方向にずれた位置に設けられた、請求項１から請求項４のいずれかに記載の回転電機。
【請求項６】
前記貫通孔の開口部は、前記ロータの径方向内方から、径方向外方に向けて周方向の長さが大きくなるように形成された、請求項１から請求項５のいずれかに記載の回転電機。
【発明の詳細な説明】
【技術分野】
【０００１】
本発明は、回転電機に関し、ロータに永久磁石が設けられた回転電機に関する。
【背景技術】
【０００２】
従来から、電動機や回転電機においては、永久磁石の冷却および回転子の軽量化などが図られている。たとえば、特開２００５−２０８５５号公報には、電動機出力を低下させることなく、電動機の軽量化が図られた電動機が提案されている。この電動機は、ロータコアのうち、永久磁石の中央部より内径側に位置する部分に、台形となる貫通孔が形成されている。これにより、磁束線の流れを妨げることなく、貫通孔に面積を拡大し、高出力および軽量の電動機を提供する。
【０００３】
また、特開２００２−３４５１８８号公報には、回転電機の出力を低下させることなく、永久磁石の冷却を効率的に行う回転電機が提案されている。この回転電機においては、永久磁石の外周側面が永久磁石挿入孔に密着し、永久磁石の内側には、永久磁石挿入孔に沿って冷媒が導かれる冷却通路が形成されている。この冷却通路を含めて冷却系が閉回路とされている。また、この特開２００２−３４５１８８号公報には、回転軸の軸心には、上流側通路と、下流側通路とが形成され、これらと冷却通路とを連通するように、エンドプレートに形成された分岐通路とを備えた回転電機が記載されている。
【０００４】
さらに、特開２００６−２５５４５号公報には、回転子から飛散される冷却液体によって固定子巻線の絶縁の低下を防止する回転電機が提供されている。この回転電機においては、回転子の回転軸および回転子鉄心と、端板との間に案内路を設けて、この案内路により回転軸内に供給された冷却油を回転遠心力に基づいて、端板の外周側の外面側に案内して、固定子巻線の端部に向けて飛散させている。
【特許文献１】特開２００５−２０８５５号公報
【特許文献２】特開２００２−３４５１８８号公報
【特許文献３】特開２００６−２５５４５号公報
【発明の開示】
【発明が解決しようとする課題】
【０００５】
しかし、特開２００５−２０８５５号公報に記載された電動機においては、台形状に形成された貫通孔内に、ロータを冷却するための冷媒や、軸受の潤滑を確保するための潤滑油等が入り込み、ロータの重心バランスが悪くなるという問題があった。
【０００６】
なお、特開２００２−３４５１８８号公報に記載された回転電機においては、冷却系が閉回路とされた回転電機とされており、冷却通路内に外部の潤滑油や冷媒等が入り込むと、ロータの重量バランスが崩れてしまう。また、エンドプレートに分岐通路が形成された回転電機においては、上方に位置する分岐通路内に供給される供給量よりも、下方に位置する分岐通路内に供給される供給量の方が多くなり、結果として、ロータのバランスが崩れてしまう。さらに、特開２００６−２５５４５号公報に記載された回転電機においては、永久磁石の冷却効果を得ることができない。
【０００７】
本発明は、上記のような課題に鑑みてなされたものであって、その目的は、永久磁石の冷却、ロータの軽量化およびロータの重量バランスのばらつきの抑制が図られた回転電機を提供することである。
【課題を解決するための手段】
【０００８】
本発明に係る回転電機は、環状に形成されたステータと、ステータ内に挿入され、回転シャフトに固定され、回転可能に支持されたロータと、ロータに形成され、磁石を受け入れ可能な複数の磁石受入部と、ロータに設けられ、磁石受入部内に装着された磁石とを備えている。
【０００９】
また、この回転電機は、ロータのうち、磁石受入部から離れた位置に設けられ、軸方向に延び、周方向に間隔を隔てて形成された複数の穴部と、ロータの軸方向端面に設けられたエンドプレートと、ロータの軸方向端面とエンドプレートとの少なくとも一方によって規定され、穴部の開口部上から、磁石の軸方向端面上を経由する経路と、ロータの軸方向端面とエンドプレートとの少なくも一方によって規定され、経路に連通する排出口とを備えている。そして、磁石受入部は、第１収容孔と、第１収容孔に対して回転方向前方側に位置する第２収容孔とを含み、１収容孔と第２収容孔と間に薄肉部が形成される。さらに、上記磁石収容部間に薄肉部よりも剛性の高い厚肉部が形成され、穴部間に該穴部同士を区画する区画壁部が形成される。そして、上記穴部は厚肉部に対して径方向内方側に位置し、区画壁部は薄肉部に対して径方向内方に位置する。上記エンドプレートは、穴部の開口部の一部を閉塞すると共に、開口部の一部を冷媒が流通可能な流通口として規定する経路規定部を含み、経路規定部は、ロータの軸方向端面のうち、回転シャフトの周囲に位置する部分を覆うように環状に形成された環状部と、環状部の周縁部から、ロータの径方向に向けて突出し、周方向に間隔を隔てて複数形成された突出部とを含む。そして、上記突出部の先端部は、ロータの軸方向端面のうち、磁石受入部より径方向内方に位置し、経路は、周方向に隣り合う突出部によって規定され、流通口と連通する連通路と、突出部より径方向外方側に位置すると共に、磁石の軸方向端面を通り、連通路および排出口と連通する排出路とを含む。好ましくは、上記穴部は、磁石に対して、ロータの回転中心側に位置する。好ましくは、上記排出口は、ロータの外周縁部に位置する。
【００１０】
好ましくは、上記エンドプレートは、穴部から経路内に供給される冷媒を磁石の端面に案内可能な案内部を含む。
【００１１】
好ましくは、流通口は、磁石に対して、ロータの周方向にずれた位置に設けられる。
【００１２】
好ましくは、上記貫通孔の開口部は、ロータの径方向内方から、径方向外方に向けて周方向の長さが大きくなるように形成される。
【発明の効果】
【００１３】
本発明に係る回転電機によれば、永久磁石を冷却することができ、ロータの軽量化およびロータの重量バランスの均一化を図ることができる。
【発明を実施するための最良の形態】
【００１４】
図１から図７を用いて、本発明の実施の形態に係る回転電機１００について説明する。なお、同一または相当する構成については、同一の符号を付してその説明を省略する。なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の特徴部分を適宜組合わせることは、当初から予定されている。
【００１５】
（実施の形態１）
図１は、本発明の実施の形態１に係る回転電機１００の側断面図である。なお、回転電機とは、モータとしての機能と、発電機としての機能との少なくとも一方の機能を有しており、モータジェネレータとしての機能を有している。
【００１６】
回転電機１００は、回転可能に支持された回転シャフト１０と、この回転シャフト１０に固設されたロータ２０と、このロータ２０の外周に配置され、環状に形成されたステータ１２とを備えている。
【００１７】
ステータ１２は、環状に形成され、複数の電磁鋼板を積層して形成されたステータコア１４と、このステータコア１４の内周面に複数間隔を隔てて形成されたステータティースに巻回されたコイル１３とを備えている。なお、コイル１３は、Ｕ相コイル、Ｖ相コイル、Ｗ相コイルを含む。
【００１８】
ロータ２０は、複数の電磁鋼板が積層されたロータコア２１と、ロータコア２１に装着された永久磁石２２と、ロータコア２１の軸方向端部に設けられたエンドプレート２３とを備えている。ロータコア２１は、複数の磁性鋼板を積層して形成されている。このロータコア２１には、回転シャフト１０の回転軸線Ｏに沿って延びる複数の永久磁石収容孔３２が周方向に間隔を隔てて形成されている。
【００１９】
この永久磁石収容孔３２内に、永久磁石２２と、永久磁石２２を永久磁石収容孔３２を規定するロータコア２１の内壁面に接着させる樹脂とが充填されている。
【００２０】
また、永久磁石２２および永久磁石収容孔３２に対してロータコア２１の径方向内方に位置する部分には、複数の貫通孔３１が形成されている。このように、ロータコア２１には、複数の貫通孔３１が形成されているため、ロータコア２１の軽量化が図られている。
【００２１】
このロータコア２１の軸方向端面には、エンドプレート２３が設けられている。このエンドプレート２３には、貫通孔３１の開口部から、永久磁石２２の軸方向端面の上方を経由する経路３３が形成されている。
【００２２】
図２は、この図１に示すＩＩ−ＩＩ線における断面図である。ここで、永久磁石収容孔３２は、ロータ２０の回転方向Ｐに向けてロータコア２１の径方向外方から内方に向けて傾斜する収容孔３２Ａと、この収容孔３２Ａに対して回転方向Ｐ前方側に位置する収容孔３２Ｂとを備えている。なお、収容孔３２Ｂは、回転方向Ｐに向けて、ロータコア２１の径方向内方から外方に向けて傾斜するように形成されている。各収容孔３２Ａ，３２Ｂ内には、それぞれ、永久磁石２２Ａ，２２Ｂが収容されている。そして、ロータコア２１の周方向に隣り合う各永久磁石収容孔３２内に収容された永久磁石２２は、互いに異なる磁極がロータコア２１の外周に向けて配設されている。
【００２３】
図３は、上記図２の一部を拡大視した断面図である。この図３に示すように、永久磁石収容孔３２の収容孔３２Ａと収容孔３２Ｂとは、互いに僅かにロータコア２１の周方向に離れている。このため、収容孔３２Ａと収容孔３２Ｂとによって、収容孔３２Ａと収容孔３２Ｂとの間に位置する部分に薄肉部３６が規定されている。この薄肉部３６は、ロータコア２１の径方向に延びている。
【００２４】
そして、ロータコア２１のうち、永久磁石収容孔３２間に位置する部分には、厚肉部３７が規定されている。
【００２５】
ロータコア２１のうち、永久磁石収容孔３２に対して、ロータコア２１の径方向内方に位置する部分には、貫通孔３１Ａ，３１Ｂが、ロータコア２１の周方向に間隔を隔てて形成されている。そして、ロータコア２１のうち、各貫通孔３１間には、各貫通孔３１同士を区画する区画壁７０が形成されている。各貫通孔３１は、厚肉部３７に対して、ロータコア２１の径方向内方に位置している。すなわち、薄肉部３６と区画壁７０とは、ロータコア２１の径方向に配列している。
【００２６】
さらに、各貫通孔３１間に規定された区画壁７０は、薄肉部３６に対して、径方向内方に位置している。そして、厚肉部３７に対して径方向内方に位置する部分に貫通孔３１が形成されている。
【００２７】
なお、貫通孔３１は、ロータコア２１の径方向内方から外方に向けてロータコア２１の周方向の大きさが大きくなるように略扇形形状に形成されている。このため、各貫通孔３１間に位置する区画壁７０は、ロータコア２１の径方向に延びるように形成されている。
【００２８】
このように、ロータコア２１のうち、薄肉部３６が位置する部分は、剛性が低い一方で、区画壁７０が径方向に位置することにより、薄肉部３６が位置する部分において、径方向の剛性を確保することができる。
【００２９】
その一方で、厚肉部３７の剛性は高いため、この厚肉部３７に対して、径方向内方側に貫通孔３１を形成したとしても、剛性を確保することができる。
【００３０】
このため、各貫通孔３１のロータコア２１の周方向中央部は、収容孔３２Ａ，３２Ｂの周方向の中央部に対して周方向にずれた位置に位置している。
【００３１】
ロータコア２１の軸方向端面と、エンドプレート２３とによって、ロータコア２１の軸方向端面には、経路３３が規定されている。
【００３２】
ここで、図１および図３に示すように、エンドプレート２３は、円板状に形成された天板部１２４と、この天板部１２４の周縁部に形成され、周方向に間隔を隔てて形成された周壁部１２３とを備えている。
【００３３】
そして、各周壁部１２３は、薄肉部３６に対して、ロータコア２１の径方向外方に位置している。
【００３４】
ここで、天板部１２４の表面のうち、ロータコア２１の軸方向端面と対向する表面には、経路３３を規定する経路規定部１３３が形成されている。
【００３５】
この経路規定部１３３は、ロータコア２１の軸方向端面のうち、回転シャフト１０の周囲に位置する部分を覆うように環状に形成された環状部１３３Ｂと、環状部１３３Ｂの周縁部から、ロータコア２１の径方向に向けて突出し、周方向に間隔を隔てて複数形成された突出部１３３Ａとを備えている。
【００３６】
そして、ロータコア２１の軸方向端面には、周方向に隣り合う突出部１３３Ａと、周壁部１２３とによって経路３３が規定されている。
【００３７】
ここで、周方向に隣り合う突出部１３３Ａによって、周方向に隣り合う貫通孔３１Ａ，３１Ｂの開口部の一部を連通し、さらにロータコア２１の径方向に向けて延びる連通路１３４が規定されている。
【００３８】
そして、経路規定部１３３によって、各貫通孔３１Ａ，３１Ｂの開口部の一部が連通路１３４内に供給口１３１Ａ，１３１Ｂとして位置している。
【００３９】
このため、エンドプレート２３と、ロータコア２１の軸方向端面との隙間から冷媒や潤滑油が貫通孔３１内に入り込むことがあるが、貫通孔３１内の潤滑油や冷媒を経路３３内に供給（排出）可能な供給口１３１Ａ，１３１Ｂが規定されているので、貫通孔３１内から冷媒や潤滑油を排出することができる。
【００４０】
特に、連通路１３４は、供給口１３１Ａ，１３１Ｂからロータコア２１の径方向外方に向けて延びている。このため、供給口１３１Ａ，１３１Ｂから連通路１３４内に入り込んだ潤滑油または冷媒などは、ロータコア２１の遠心力によって連通路１３４内に流れ出す。このように、各貫通孔３１内の潤滑油や冷媒を経路３３内に排出することができるので、各貫通孔３１内に溜まる潤滑油および冷媒の蓄積量を低減することができ、各貫通孔３１内に溜められた冷媒や潤滑油量の差を低減することができる。
【００４１】
このため、ロータ２０内に重量バランスに偏りが生じることを抑制することができる。これにより、回転電機が駆動した際においても、ロータ２０が振動することを抑制することができる。
【００４２】
突出部１３３Ａの先端部は、ロータコア２１の軸方向端面のうち、永久磁石収容孔３２より径方向内方に位置しており、突出部１３３Ａは、周壁部１２３の周方向端部に向けて延びている。
【００４３】
このため、経路３３のうち、突出部１３３Ａに対して、ロータコア２１の径方向外方側に位置する部分には、連通路１３４の延在方向（ロータコア２１の径方向）に対して交差する方向に延びる排出路１３５が規定されている。この排出路１３５は、永久磁石２２Ａ，２２Ｂの軸方向端面上を通るように形成されている。そして、ロータコア２１の周方向に隣り合う周壁部１２３によって排出路１３５内の潤滑油や冷媒を外部に排出する排出口３３ａが規定されている。
【００４４】
このため、連通路１３４内に入り込んだ潤滑油や冷媒などは、ロータコア２１の径方向に向けて、連通路１３４内を流れる。そして、その後、潤滑油や冷媒は、排出路１３５内に入り込む。排出路１３５内に入り込んだ冷媒や潤滑油は、永久磁石２２Ａ，２２Ｂの軸方向端面を冷却しながら、ロータコア２１の周方向に流れる。その後、排出口３３ａから潤滑油や冷媒が排出される。
【００４５】
ここで、排出口３３ａは、各連通路１３４に対して、回転方向Ｐの前方側および回転方向Ｐの後方側にいずれにも規定されている。
【００４６】
このため、たとえば、回転電機の駆動が開始して、ロータ２０が回転方向Ｐに向けて回転し始めるようなときには、図３において、各供給口１３１Ａ，１３１Ｂからの冷媒および潤滑油は、当該連通路１３４Ａに対して、回転方向Ｐの後方側に位置する排出口３３ａ２から排出される。この際、たとえば、図３に示す例においては、永久磁石２２Ａの軸方向端面が、潤滑油や冷媒によって冷却される。
【００４７】
その一方で、ロータ２０が減速するようなときには、たとえば、連通路１３４Ａからの冷媒や潤滑油は、当該連通路１３４Ａに対して、回転方向Ｐの前方側に位置する排出口３３ａ１から排出される。この際、排出口３３ａ１側に位置する永久磁石２２Ｂが冷却される。ここで、回転電機は、加速したり、減速したりするため、排出口３３ａ１，３３ａ２の少なくとも一方から排出され、永久磁石２２Ａ，２２Ｂの軸方向端面を冷却することができる。
【００４８】
永久磁石２２の軸方向端面と、エンドプレート２３とは互いに離れており、エンドプレート２３は、たとえば、アルミニウム等の金属材料から形成されている。このように、金属製のエンドプレート２３と永久磁石２２とを離間させることで、回転電機の駆動中にエンドプレート２３内に生じる渦電流の発生を抑制することができる。
【００４９】
１つの突出部１３３Ａと、この突出部１３３Ａに対して周方向に隣り合う突出部１３３Ａとを連設し、環状部１３３Ｂの外周縁部に位置する付根部１３３Ｃは、ロータ２１の周方向に延びている。
【００５０】
そして、互いに隣り合う突出部１３３Ａの側面１３６ａ，１３６ｂは、ロータコア２１の径方向外方に向けて、ロータコア２１の周方向の距離が互いに大きくなるように滑らかに湾曲している。
【００５１】
このため、供給口１３１Ａ，１３１Ｂから経路３３内に入り込んだ潤滑油または冷媒は、良好に連通路１３４内を流れ、排出口３３ａから排出可能となっている。
【００５２】
（実施の形態２）
図１、図４および図５を用いて、本発明の実施の形態２に係る回転電機について説明する。なお、上記図１から図３に示された構成と同一または相当する構成については、同一の符号を付してその説明を省略する。
【００５３】
図４は、本発明の実施の形態２に係る回転電機のロータ２０を示す断面図であり、図５は、図４の一部を拡大視した拡大図である。
【００５４】
ここで、エンドプレート２３は、天板部１２４と、天板部１２４に形成され、経路規定部１４４と、天板部１２４の外周縁部に形成され、ロータコア２１の軸方向端面に向けて垂下する周壁部１２３とを備えている。
【００５５】
図５に示すように、経路規定部１４４は、回転シャフト１０の周囲に位置し、ロータコア２１の軸方向端面と当接する環状部１４４Ｂと、この環状部１４４Ｂの外周に間隔を隔てて複数形成され、ロータコア２１の径方向に向けて突出する突出部１４４Ａとを備えている。そして、これら、突出部１４４Ａと、周壁部１２３とがロータコア２１の軸方向端面と当接することで、ロータコア２１の軸方向端面に貫通孔３１内に入り込んだ潤滑油や冷媒を外部に排出する経路４３が規定される。
【００５６】
ここで、各貫通孔３１の開口部には、突出部１４４Ａと環状部１４４Ｂとによって、その一部が供給口１４１が規定されている。
【００５７】
ここで、突出部１４４Ａは、突出部１４４Ａの付根部のうち、回転方向Ｐの前方側に位置する部分から径方向外方に向けて延びる第１辺部１４５ｂと、この第１辺部１４５ｂの上端部に連設され、径方向外方に向かうにつれて、回転方向Ｐの後方側に向けて傾斜する傾斜部１４５ａと、傾斜部１４５ａの端部に連設され、環状部１４４Ｂに向けて延びる第２辺部とを備えている。そして、傾斜部１４５ａと、周壁部１２３との間には、回転方向Ｐ後方側に向けて、径方向外方に向けて傾斜し、排出口３３ａ２に達する排出路１４５が規定されている。
【００５８】
ここで、傾斜部１４５ａと周壁部１２３との間に位置する部分は、永久磁石２２Ａ，２２Ｂが配置されている。
【００５９】
このため、ロータ２０が回転方向Ｐに加速する際には、貫通孔３１内に溜まった潤滑油や冷媒などは、供給口１４１から、この供給口１４１に対して、回転方向Ｐ後方側に位置する排出路１４５を通って、排出口３３ａ２から潤滑油や冷媒が排出される。この際、排出路１４５を通る際に、永久磁石２２の軸方向端面を冷却する。
【００６０】
さらに、ロータ２０が減速する際には、貫通孔３１内に溜まった潤滑油や冷媒などは、供給口１４１から経路４３内に入り込み、第１辺部１４５ｃに案内され、排出口３３ａ１から排出される。このように排出される際においても、潤滑油や冷媒は、永久磁石２２の軸方向端面を冷却する。
【００６１】
このように、本実施の形態２に係る回転電機においても、各貫通孔３１内の潤滑油や冷媒を排出することができるので、ロータコア２１の重量バランスのばらつきの発生を抑制することができる。
【００６２】
（実施の形態３）
図１、図６および図７を用いて、本発明に係る実施の形態３について説明する。なお、図１から図５に示す構成と同一または相当する構成については、同一の符号を付してその説明を省略する。
【００６３】
図６は、本発明の実施の形態３に係る回転電機のロータの断面図であり、図７は、図６の一部を拡大視した拡大図である。
【００６４】
図１および図６に示すように、エンドプレート２３は、天板部１２４と、この天板部１２４の周縁部からロータコア２１の軸方向端面に向けて垂下する周壁部１２３とを備えている。
【００６５】
そして、エンドプレート２３のうち、ロータコア２１の軸方向端面と対向する側面には、ロータコア２１の軸方向端面に経路５３を規定する経路規定部１５３が形成されている。
【００６６】
この経路規定部１５３は、ロータコア２１の軸方向端面のうち、回転シャフト１０の周囲に位置する部分を覆うように形成された環状部１５３Ｂと、この環状部１５３Ｂの外周縁部に連設し、ロータコア２１の径方向外方に向けて突出する突出部１５３Ａとを備えている。
【００６７】
突出部１５３Ａは、ロータコア２１の軸方向端面のうち、区画壁７０の上面を覆うように延びている。このため、ロータ２０が回転している際に、区画壁７０に生じる応力によって、区画壁７０が変形することを抑制することができる。
【００６８】
なお、本実施の形態３に係る回転電機においても、貫通孔３１内の冷媒が排出される際に、永久磁石２２の端面を冷却することができる。
【００６９】
以上のように本発明の実施の形態について説明を行なったが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【産業上の利用可能性】
【００７０】
本発明は、回転電機に好適である。
【図面の簡単な説明】
【００７１】
【図１】本発明に係る実施の形態１の回転電機の側断面図である。
【図２】図１に示すＩＩ−ＩＩ線における断面図である。
【図３】図２の一部を拡大視した断面図である。
【図４】本発明に係る実施の形態２の回転電機のロータを示す断面図である。
【図５】図４の一部を拡大視した拡大図である
【図６】本発明に係る実施の形態３の回転電機のロータの断面図である。
【図７】図６の一部を拡大視した拡大図である。
【符号の説明】
【００７２】
１０  回転シャフト、１２  ステータ、１３  コイル、１４  ステータコア、２０  ロータ、２１  ロータコア、２２，２２Ａ，２２Ｂ  永久磁石、２３  エンドプレート、３１，３１Ａ，３１Ｂ  貫通孔、３２Ａ，３２Ｂ  収容孔、３２  永久磁石収容孔、３３，４３，５３  経路、１００  回転電機、１２３  周壁部。
【図１】
0004424385.tif 000002
【図２】
0004424385.tif 000003
【図３】
0004424385.tif 000004
【図４】
0004424385.tif 000005
【図５】
0004424385.tif 000006
【図６】
0004424385.tif 000007
【図７】
0004424385.tif 000008